(57)【要約】【課題】  上下に積み重ねて格納することが可能な構造のスタッキング椅子において、座部の厚さを抑制して４０脚の椅子を積み重ねても高さを低く抑えることができるにも係わらず、着座感を大幅に改善したスタッキング椅子の座部構造を提供する。【解決手段】  脚フレーム１の両側に略水平な座支持杆１７を備え、座支持杆の前後端部に連結杆１２，１３を渡設し、座支持杆と連結杆を利用して座部２を取付けてなるスタッキング椅子において、座支持杆の内側に沿って所定間隔を設けて支持金具２３を固定し、前後連結杆を偏平な板状とし、座部はベンディングシェル５とシート体６とからなり、ベンディングシェルの両側部に形成した凹溝部２６を支持金具に上方から係合し、下面を前後の連結杆に載置してネジ止めし、ベンディングシェルの上面にシート体を装着し、座部の厚さを座支持杆の略上下寸法内に抑えた。【選択図】        図３
2010094192.tif 000002
【特許請求の範囲】
【請求項１】
上下に積み重ねることが可能な構造のスチール製脚フレームの両側に略水平な座支持杆を備えるとともに、該座支持杆の前後端部に連結杆を渡設し、前記座支持杆と連結杆を利用して座部を取付けてなるスタッキング椅子において、前記座支持杆の内側に沿って所定間隔を設けて支持金具を固定するとともに、前後の前記連結杆を偏平な板状とし、前記支持金具と連結杆の上端を前記座支持杆より低く設定し、前記座部は可撓性を有する合成樹脂製のベンディングシェルとクッション性を備えたシート体とからなり、前記ベンディングシェルの両側部に沿って形成した下方開放の凹溝部を前記支持金具に上方から係合して内外の変位を規制するとともに、前記ベンディングシェルの下面を前後の連結杆に載置してネジ止めし、該ベンディングシェルの上面に前記シート体を装着し、前記座部の厚さを前記座支持杆の略上下寸法内に抑えたことを特徴とするスタッキング椅子の座部構造。
【請求項２】
前記ベンディングシェルの両側部に下面側に前記凹溝部を有するエッジ部を形成し、該エッジ部より内側の上面を段落ちさせて凹所を形成し、該凹所内に前記シート体を嵌合状態で装着してなる請求項１記載のスタッキング椅子の座部構造。
【請求項３】
前記ベンディングシェルは、左右対称な複数のスリットを形成して弾性復元性を付与し、両側縁部及び前後縁部に複数の開口を形成するとともに、中央部にスリット状の係合孔を形成し、前記シート体の前記開口と対応する部位に該開口に係止する係合爪を突設するとともに、前記係合孔に無理嵌めする頭部付き突起を突設してなる請求項１又は２記載のスタッキング椅子の座部構造。
【請求項４】
前記前部連結杆の後縁に凹んだ円弧状縁部を形成し、該前部連結杆に取付けた前記ベンディングシェルの撓みを助長してなる請求項１〜３何れかに記載のスタッキング椅子の座部構造。
【請求項５】
前記前部連結杆と後部連結杆は、上面が前下がりの傾斜状態に固定されている請求項１〜４何れかに記載のスタッキング椅子の座部構造。
【発明の詳細な説明】
【技術分野】
【０００１】
本発明は、スタッキング椅子の座部構造に係わり、例えば高さを抑えて４０脚を上下にスタキング可能な椅子の座部構造に関するものである。
【背景技術】
【０００２】
従来から、上下に積み重ねることが可能な構造の金属製の脚フレームに、薄肉の座部と背凭れ部を取付けたスタッキング可能な椅子は各種提供されている。この場合、多くの椅子をスタッキングできるようにするには、上下の椅子の重ねピッチを小さくする必要があり、そのため座部と背凭れ部は可及的に薄く作製されている。座部は、着座者の体重を支えるので高い強度が要求され、そのため剛性の高い金属や合板製の座板を用い、該座板の上面に薄いクッション体を被せ、その表面をクロスやレザーからなる表装材で覆った構造が一般的である。このように、従来のスタッキング椅子は、クッション性があまり重要視されてなかったので、座り心地はあまり良くなかった。
【０００３】
特許文献１には、側面視ほぼ方形をなす左右１対の脚枠と、両脚枠の前上部同士を連結する前部横杆との上方に取付けられる椅子の座部において、座板の下面両側部における外端縁より若干内方に、両脚枠の上部前後杆の内側面が当接しうる側部突条を垂設し、かつ座板の下面前端に、脚枠の前部横杆の上面と前面が当接する前部突条を垂設した構造の椅子の座部が開示されている。しかし、この特許文献１に記載の座部構造は、脚枠の上部前後杆を、座部の側部で内側と上側から抱え込むように取付けるので、椅子の重ねピッチは上部前後杆の上下寸法よりも遥かに大きくなり、スタッキング可能な脚数は少ない。また、座板は、合成樹脂製の成形品であるが、剛性を高くするためにリブ構造となっているので、厚みは大きく、そのためスタッキング可能な脚数を増やすには不向きである。
【０００４】
特許文献２には、金属パイプから成る平面視略四角形の座部フレームと、座部フレームの左右両側を支持する左右一対の脚部フレームと、左右の脚部フレームをその上部において連結する補強フレームと、座部フレームの後部に立設した背凭れ杆と、座部と、クッション付きの背凭れ部とを備えている椅子において、座部フレームを構成する左右水平部の内側に座受け金具を設け、座部の両側下面を左右水平部と座受け金具の上に載置するとともに、座部の両側下面に突設した係合爪を座受け金具の開口に係合して保持する構造が開示されている。ここで、前記座部は、多数のスリットを設けた合成樹脂製のベンディングシェルとその上に貼設したクッションからなり、ベンディングシェルは可撓性を備え、両側で前記座受け金具に支持されている。そして、前記座部フレームを構成する前後水平部は、左右水平部と同じ金属パイプで構成し、それらの上に座部が載置された状態で支持されている。従って、この特許文献２に記載の椅子は、座部が可撓性を備えているので、座り心地には優れているが、座部フレームを含めた座部の上下寸法が大きいので、前記同様にスタッキング可能な脚数は少ない。仮に、４０脚の椅子を積み重ねできたとしても、高さが高くなり過ぎて、作業に無理が生じ、また不安定になる。
【特許文献１】特許第３３４３７７２号公報
【特許文献２】特許第３７３８９６４号公報
【発明の開示】
【発明が解決しようとする課題】
【０００５】
そこで、本発明が前述の状況に鑑み、解決しようとするところは、上下に積み重ねて格納することが可能な構造のスタッキング椅子において、座部の厚さを抑制して４０脚の椅子を積み重ねても高さを低く抑えることができるにも係わらず、着座感を大幅に改善したスタッキング椅子の座部構造を提供する点にある。
【課題を解決するための手段】
【０００６】
本発明は、前述の課題解決のために、上下に積み重ねることが可能な構造のスチール製脚フレームの両側に略水平な座支持杆を備えるとともに、該座支持杆の前後端部に連結杆を渡設し、前記座支持杆と連結杆を利用して座部を取付けてなるスタッキング椅子において、前記座支持杆の内側に沿って所定間隔を設けて支持金具を固定するとともに、前後の前記連結杆を偏平な板状とし、前記支持金具と連結杆の上端を前記座支持杆より低く設定し、前記座部は可撓性を有する合成樹脂製のベンディングシェルとクッション性を備えたシート体とからなり、前記ベンディングシェルの両側部に沿って形成した下方開放の凹溝部を前記支持金具に上方から係合して内外の変位を規制するとともに、前記ベンディングシェルの下面を前後の連結杆に載置してネジ止めし、該ベンディングシェルの上面に前記シート体を装着し、前記座部の厚さを前記座支持杆の略上下寸法内に抑えたことを特徴とするスタッキング椅子の座部構造を構成した（請求項１）。
【０００７】
ここで、前記ベンディングシェルの両側部に下面側に前記凹溝部を有するエッジ部を形成し、該エッジ部より内側の上面を段落ちさせて凹所を形成し、該凹所内に前記シート体を嵌合状態で装着してなることが好ましい（請求項２）。
【０００８】
また、前記ベンディングシェルは、左右対称な複数のスリットを形成して弾性復元性を付与し、両側縁部及び前後縁部に複数の開口を形成するとともに、中央部にスリット状の係合孔を形成し、前記シート体の前記開口と対応する部位に該開口に係止する係合爪を突設するとともに、前記係合孔に無理嵌めする頭部付き突起を突設してなることが好ましい（請求項３）。
【０００９】
そして、前記前部連結杆の後縁に凹んだ円弧状縁部を形成し、該前部連結杆に取付けた前記ベンディングシェルの撓みを助長してなることも好ましい（請求項４）。
【００１０】
また、前記前部連結杆と後部連結杆は、上面が前下がりの傾斜状態に固定されていることも好ましい（請求項５）。
【発明の効果】
【００１１】
以上にしてなる請求項１に係る発明のスタッキング椅子の座部構造は、前記座部は可撓性を有する合成樹脂製のベンディングシェルとクッション性を備えたシート体とからなり、ベンディングシェルの周囲を両側の座支持杆と前後の連結杆に取付けたので、座部の中央部が弾性変形可能であり、またシート体のクッション性と相俟って体にフィットして座り心地に優れ、また前記座部の厚さを前記座支持杆の略上下寸法内に抑えたので、多数の椅子を上下に積み重ねても高さが抑えられ、椅子の積み上げ、下ろし作業が容易になるとともに、安定に保管できるのである。
【００１２】
請求項２によれば、前記ベンディングシェルの両側部に下面側に前記凹溝部を有するエッジ部を形成し、該エッジ部より内側の上面を段落ちさせて凹所を形成し、該凹所内に前記シート体を嵌合状態で装着してなるので、クッション性を備えたシート体をベンディングシェルに重ねて設けても座部の厚さを抑えることができ、更にシート体の両側にエッジ部が位置するので、シート体の縁部からの擦り切れを防止することができる。
【００１３】
請求項３によれば、前記ベンディングシェルは、左右対称な複数のスリットを形成して弾性復元性を付与し、両側縁部及び前後縁部に複数の開口を形成するとともに、中央部にスリット状の係合孔を形成し、前記シート体の前記開口と対応する部位に該開口に係止する係合爪を突設するとともに、前記係合孔に無理嵌めする頭部付き突起を突設してなるので、ベンディングシェルに対するシート体の装着が工具を使用せずワンタッチで行える。
【００１４】
請求項４によれば、前記前部連結杆の後縁に凹んだ円弧状縁部を形成し、該前部連結杆に取付けた前記ベンディングシェルの撓みを助長してなるので、座部の着座感を更に良くすることができる。
【００１５】
請求項５によれば、前記前部連結杆と後部連結杆は、上面が前下がりの傾斜状態に固定されていることにより、偏平な板状の連結杆であっても荷重に対して耐力があるとともに、後下方への撓みが許容されるから、座部の前後部もそれに応じた変形が許容され、着座感がより一層優れたものとなる。
【発明を実施するための最良の形態】
【００１６】
次に、添付図面に示した実施形態に基づき、本発明を更に詳細に説明する。図１及び図２は本発明に係るスタッキング椅子を示し、図３〜図１１はその各部の詳細を示し、図中符号１は脚フレーム、２は座部、３は背凭れ部をそれぞれ示している。
【００１７】
本実施形態のスタッキング椅子は、図１及び図２に示すように、金属製の脚フレーム１に座部２を取付けるとともに、該座部２の左右後部に前記脚フレーム１から延びて一体的に立設した左右の金属製背凭れ杆４，４に背凭れ部３を取付けた構造を有し、上下に４０脚を積み重ねられるように、前記座部２と背凭れ部３の肉厚を薄くしたものである。
【００１８】
本実施形態では、前記脚フレーム１は、スチール製のパイプを折曲し、溶接して構成したものであり、また前記座部２は可撓性を有するベンディングシェル５とクッション性を備えたシート体６とからなり、前記背凭れ部３は強度と可撓性を有するポリアミド６で形成している。また、前記シート体６は、インナーシェル７とクッション体８と表装材９とから構成されている。前記ベンディングシェル５はポリプロピレン樹脂、インナーシェル７は再生ポリプロピレン樹脂、クッション体８はポリエチレン樹脂発泡体、表装材９はポリプロピレンクロス又はレザーで作製している。尚、前記スチール製パイプの代わりに、中実の金属棒を用いて前記脚フレーム１を作製することも可能であり、外形形状も丸に限定されず四角であっても良く、また前記座部２や背凭れ部３の素材についても限定されない。
【００１９】
更に詳しくは、前記脚フレーム１は、図１〜図３に示すように、スチール製のパイプを折曲して形成した左右一対の脚体１１，１１を有し、前記座部２を支持する部分の前後部で両脚体１１，１１を偏平なスチール板からなる連結杆１２，１３で連結したものである。そして、前記脚体１１は、接地杆１４の前端から上方へ前脚杆１５と後端から上方へ後脚杆１６を立設するとともに、前記前脚杆１５の上端から後方へ座支持杆１７を延設し、該座支持杆１７の後端から立上げた杆体と前記後脚杆１６の上端部を左右に並べて互に溶接して前記背凭れ杆４としている。そして、前記背凭れ杆４の上端部は、前後から扁平に押し潰して前記背凭れ部３の両側下部に形成した筒状部１８へ挿入して取付けている。しかし、本発明では背凭れ杆４と背凭れ部３との取付構造は限定されない。
【００２０】
前記脚体１１の前脚杆１５と座支持杆１７とは円弧状に連続し、該円弧部１９に前記前部連結杆１２の端部が溶接され、また前記座支持杆１７の後端部は上方後方を傾斜して立ち上がった傾斜部２０となっており、該傾斜部２０に前記後部連結杆１３の端部が溶接され、左右の脚体１１，１１が連結されている。つまり、前記前部連結杆１２と後部連結杆１３は、上面が前下がりの傾斜状態に固定されている。ここで、前記前部連結杆１２の後縁に凹んだ円弧状縁部２１を形成し、前記ベンディングシェル５の撓みを助長するようになっている。更に、前記脚フレーム１の剛性を高めるために、前記両前脚杆１５，１５の上部間に板状の補強杆２２を溶接固定している。
【００２１】
更に、図３、図５及び図６に示すように、前記座支持杆１７の内側に沿って所定間隔を設けて支持金具２３を固定している。前記支持金具２３は、断面四角形のスチール部材であり、スチール製の複数の固定片２４，…を介して前記座支持杆１７の内側に溶接され、該座支持杆１７と支持金具２３の間にはスリット溝２５が形成されている。そして、前記支持金具２３と連結杆１２，１３の上端を前記座支持杆１７より低く設定し、下端は該座支持杆１７より突出しないように設定している。
【００２２】
図３〜図６に示すように、前記ベンディングシェル５は、両側部に下面側に前記凹溝部２６を有するエッジ部２７，２７を形成し、該エッジ部２７，２７より内側の上面を段落ちさせて凹所２８を形成し、該凹所２８に左右対称な複数のスリット２９，…を形成して弾性復元性を付与している。そして、前記ベンディングシェル５の両側部に沿って形成した下方開放の凹溝部２６，２６を前記支持金具２３，２３に上方から係合して内外の変位を規制するとともに、前記ベンディングシェル５の下面を前後の連結杆１２，１３に載置してネジ止めし、それから該ベンディングシェル５の上面の凹所２８内に前記シート体６を装着し、前記座部２の厚さを前記座支持杆１７の略上下寸法内に抑えている。
【００２３】
前記ベンディングシェル５は、両側部が前記座支持杆１７、円弧部１９及び傾斜部２０と略同形の形状を有し、下面は前記連結杆１２，１３に載置され、それぞれ連結杆１２，１３の二箇所に形成された通孔３０，３０に下方から通したネジ３１，３１をベンディングシェル５の内部又は上面に配したナット３２，３２に螺合して取付ける。更に、前記ベンディングシェル５の前部の立下り部３３の端部は、前記補強杆２２の前側に嵌合している。また、前記ベンディングシェル５の後部の立上り部３４は、両側部が前記座支持杆１７の傾斜部２０に沿うようになっており、中間部は剛性が低く周囲は剛性が高い断面構造となっている。
【００２４】
ここで、前記ベンディングシェル５の凹溝部２６を前記座支持杆１７に固定した支持金具２３に嵌合するが、この際に凹溝部２６を構成する外側の側面板３５は前記座支持杆１７と支持金具２３に形成されたスリット溝２５に嵌入する。尚、前記側面板３５で前記固定片２４，…に対応する部位に切欠部３６，…を形成して固定片２４，…を逃がしている。前記座部２に着座して前記ベンディングシェル５の中央部に撓みが発生したときに、該ベンディングシェル５の側部が中央側に引っ張られるが、前述のような嵌合構造を採用したことにより、安定に保持することができる。
【００２５】
前記シート体６は、図７〜図９に示すように、インナーシェル７とクッション体８と表装材９とから構成されているが、前記インナーシェル７は、クッション体８と表装材９を保持し、前記ベンディングシェル５の凹所２８内に取付ける役目をする部材であるので、強度が高い必要性はなく、薄くてベンディングシェル５の可撓性を妨げないようにする。そこで、前記インナーシェル７は、周囲を除いて中央部に開口部３７を形成するとともに、前部から該開口部３７の中央部にかけて支持片３８を延設し、前記ベンディングシェル５に対応させて前部は立下り部３９、後部は立上り部４０を形成している。そして、前記インナーシェル７の上面にクッション体８が貼着され、その表面を表装材９で覆っている。
【００２６】
そして、前記シート体６を前記ベンディングシェル５の凹所２８内に取付けるために、図３及び図４に示すように、前記ベンディングシェル５の凹所２８内の両側縁部及び前後縁部に複数の開口４１，…を形成するとともに、中央部にスリット状の係合孔４２，４２を形成し、前記インナーシェル７の前記開口４１，…と対応する部位に該開口４１に係止する係合爪４３，…を突設するとともに、前記係合孔４２に無理嵌めする頭部付き突起４４，４４を突設している。前記シート体６を前記ベンディングシェル５の凹所２８内に押し込むだけで、前記係合爪４３，…が開口４１，…に係合するとともに、前記頭部付き突起４４，４４が係合孔４２，４２に抜止め係合して保持されるのである（図１０及び図１１参照）。ここで、前記シート体６の両側部には、前記ベンディングシェル５のエッジ部２７，２７が位置しているので、該シート体６の端部からの捲れや擦り切れを防止することができる。
【００２７】
このように構成した座部２の厚さは、前記座支持杆１７の上下寸法と略等しく、４０脚を専用の台車に積み重ねた場合でも高さを約１５０ｃｍに抑えることができる。それにも係わらず、座部２はベンディングシェル５が弾性変形可能な可撓性を備え、しかもその上にクッション性を備えたシート体を重ねた構造であるので、着座時に臀部にフィットし、着座感が良好になる。
【図面の簡単な説明】
【００２８】
【図１】本発明に係るスタッキング椅子の全体斜視図である。
【図２】同じく本発明に係るスタッキング椅子を示し、（ａ）は正面図、（ｂ）は側面図である。
【図３】座部の分解斜視図である。
【図４】ベンディングシェルを示し、（ａ）は平面図、（ｂ）は側面図である。
【図５】脚フレームにベンディングシェルを取付けた状態を示す底面図である。
【図６】（ａ）は図５のＩ−Ｉ線端面図、（ｂ）は図５のII−II線端面図、（ｃ）は図５のIII−III線端面図、（ｄ）は（ｃ）の部分拡大断面図である。
【図７】シート体を示し、（ａ）は分解斜視図、（ｂ）は組み立てた状態の斜視図である。
【図８】インナーシェルを示し、（ａ）は平面図、（ｂ）は側面図である。
【図９】シート体を示し、（ａ）は部分平面図、（ｂ）は（ａ）のＸ−Ｘ線断面図、（ｃ）は（ｂ）の部分拡大断面図である。
【図１０】スタッキング椅子の座部を下方から見た斜視図である。
【図１１】同じくスタッキング椅子の座部を下方から見た拡大斜視図である。
【符号の説明】
【００２９】
１  脚フレーム、          ２  座部、
３  背凭れ部、            ４  背凭れ杆、
５  ベンディングシェル、  ６  シート体、
７  インナーシェル、      ８  クッション体、
９  表装材、              １１  脚体、
１２  前部連結杆、        １３  後部連結杆、
１４  接地杆、            １５  前脚杆、
１６  後脚杆、            １７  座支持杆、
１８  筒状部、            １９  円弧部、
２０  傾斜部、            ２１  円弧状縁部、
２２  補強杆、            ２３  支持金具、
２４  固定片、            ２５  スリット溝、
２６  凹溝部、            ２７  エッジ部、
２８  凹所、              ２９  スリット、
３０  通孔、              ３１  ネジ、
３２  ナット、            ３３  立下り部、
３４  立上り部、          ３５  側面板、
３６  切欠部、            ３７  開口部、
３８  支持片、            ３９  立下り部、
４０  立上り部、          ４１  開口、
４２  係合孔、            ４３  係合爪、
４４  突起。
【図１】
2010094192.tif 000003
【図２】
2010094192.tif 000004
【図３】
2010094192.tif 000005
【図４】
2010094192.tif 000006
【図５】
2010094192.tif 000007
【図６】
2010094192.tif 000008
【図７】
2010094192.tif 000009
【図８】
2010094192.tif 000010
【図９】
2010094192.tif 000011
【図１０】
2010094192.tif 000012
【図１１】
2010094192.tif 000013